(57)【要約】  本発明は、束を壁に取り付ける壁ブラケットを対象とする。この壁ブラケットは、束側部材と、束側部材と係合する壁側部材とを含む。束側部材は、ロッキングタイを受容するための複数のスロットを有する。壁側部材は、複数のスロットと整列した複数のポケットを有する。複数のポケットは、スロットに設置されて束を壁ブラケット上に固定するときにロッキングタイを誘導する。
2015533203.tif 000002
【特許請求の範囲】
【請求項１】
束を取り付けるための壁ブラケットであって、
ロッキングタイを受容するための複数のスロットを有する束側部材と、
前記束側部材と係合する壁側部材であって、前記複数のスロットと整列した複数のポケットを有する、壁側部材と、を備え、
前記複数のポケットが、前記スロットに設置されて前記束を固定するときに前記ロッキングタイを誘導する、壁ブラケット。
【請求項２】
前記複数のスロットが出口スロットから離間した入口スロットを含む、請求項１に記載の壁ブラケット。
【請求項３】
前記束側部材が、ファスナーを受容して前記ブラケットを取り付けるための複数の開口部を有する、請求項１に記載の壁ブラケット。
【請求項４】
前記束側部材が、前面、裏面、第１の端部、第２の端部、および側面を有し、前記側面がそれぞれ、間にチャネルを形成する前記束側部材の前記裏面に沿って延在する湾曲したフランジを有する、請求項１に記載の壁ブラケット。
【請求項５】
前記壁側部材が前記チャネル内に位置付けられる、請求項４に記載の壁ブラケット。
【請求項６】
前記壁側部材が取り付け穴パッドをさらに備え、前記取り付け穴パッドが、前記壁側部材の長さに沿って前記ポケットと交互に現れる、請求項１に記載の壁ブラケット。
【請求項７】
前記束側部材が複数の開口部を有し、前記壁側部材の各取り付け穴パッドが開口部を有し、前記束側部材における前記開口部および前記壁側部材における前記開口部が、ファスナーを受容して前記壁ブラケットを取り付けるために整列する、請求項６に記載の壁ブラケット。
【請求項８】
前記束側部材が複数の開口部を有し、前記開口部が、前記束側部材の長さに沿って前記スロットと交互に現れる、請求項１に記載の壁ブラケット。
【発明の詳細な説明】
【技術分野】
【０００１】
本発明は、金属壁ブラケットに関し、より具体的には、金属製ロッキングタイを用いて束を取り付けるための金属壁ブラケットに関する。
【背景技術】
【０００２】
取り付けブラケットは、多くの場合、電気機器、ケーブル束などのアイテムを受容および運搬するための様々な構造体に固定される。いくつかの支持体および取り付けブラケットは、十分な垂直支持または水平支持の提供できないことに悩まされている。いくつかの支持体および取り付けブラケットは、重荷重を支持することができない。取り付けブラケットも、多数の部品の必要性および迅速な設置できないことに悩まされている。
【０００３】
したがって、容易かつ効率的に設置されるケーブル、導管、またはパイプ等の束を取り付けるための壁ブラケットを提供することが望ましい。また、ケーブル、導管、またはパイプの束を垂直方向または水平方向に取り付けるときに適切な整列を確実にする壁ブラケットを提供することも望ましい。
【発明の概要】
【０００４】
本発明は、束を取り付ける壁ブラケットを対象とする。この壁ブラケットは、束側部材および壁側部材を含む。束側部材は、束側部材の長さに沿って延在する複数のスロットを有する。壁側部材は、壁側部材の長さに沿って延在する複数のポケットを有する。ポケットが複数のスロットと整列するように、壁側部材は、束側部材と係合する。束を壁ブラケットに固定するのが望ましい場合、ロッキングタイは、１つのスロットに螺入され、ポケットに沿って誘導され、第２スロットに螺出されて、ロッキングタイが束を捕捉および固定することを可能にする。
【図面の簡単な説明】
【０００５】
【図１】本発明の金属壁ブラケットの正面斜視図である。
【図２】複数の束が取り付けられた壁に設置された図１の複数の金属壁ブラケットの正面斜視図である。
【図３】束を図２の金属壁ブラケットに固定する金属製ロッキングタイの正面斜視図である。
【図４】図１の金属壁ブラケットの正面分解図である。
【図５】図１の金属壁ブラケットの背面分解図である。
【図６】束を図３の金属壁ブラケットに固定する金属製ロッキングタイの上面図である。
【図７】束を図６の金属壁ブラケットに固定する金属製ロッキングタイの線７−７に沿った断面図である。
【図８】束を図７の金属壁ブラケットに固定する金属製ロッキングタイの部分断面図である。
【図９】図７の金属壁ブラケットに部分的に設置された金属製ロッキングタイの断面図である。
【図１０】図７の金属壁ブラケットに設置され、かつ束を受容するように配置された金属製ロッキングタイの断面図である。
【図１１】束を図６の金属壁ブラケットに固定する金属製ロッキングタイの線１１−１１に沿った断面図である。
【図１２】図６の金属壁ブラケットを壁に固定する壁ブラケットファスナーの線１２−１２に沿った断面図である。
【発明を実施するための形態】
【０００６】
本発明は、金属壁ブラケット２０を対象とする。図１に図解されるように、金属壁ブラケット２０は、束側部材３０および壁側部材６０を含む（図４および５を参照のこと）。
【０００７】
図２に図解されるように、金属壁ブラケット２０は、水平方向または垂直方向に壁１００に取り付けられ得る。図２、３、および６は、壁ブラケットファスナー９０を介して壁１００に固定される金属壁ブラケット２０を図解する。図２にさらに図解されるように、金属壁ブラケット２０は、所望の場合、壁１００上で整列して、水平または垂直方向の束１１０の取り付けを促進する。したがって、該金属壁ブラケット２０をこのように整列させることで、経由されるケーブル、導管、またはパイプなどの束の整列を確実にする。
【０００８】
図４および５は、束側部材３０および壁側部材６０を図解する。束側部材３０は、ブラケット２０に取り付けられた束と係合する表面を備える。束側部材３０は、前面３２、裏面３４、第１端部３６、第２端部３８、および側面４０を含む。束側部材３０は、複数の事前穿孔スロット４２を含む。事前穿孔スロットは、金属製ロッキングタイ８０を受容するための離間した入口スロット４４および出口スロット４６を含む（図２を参照のこと）。
【０００９】
束側部材３０は、複数の壁ブラケットファスナー９０を受容するための複数の開口部４８も含む。事前穿孔スロット４２および開口部４８は、所望の場合、距離、比率、および大きさの点で異なり得る。束側部材３０の側面４０は、間にチャネル５２を形成する束側部材３０の裏面３４に沿って延在する湾曲したフランジ５０を含む。
【００１０】
壁側部材６０は、ブラケット２０が取り付けられる壁１００に係合する表面を備える。壁側部材６０は、前面６２、裏面６４、第１の端部６６、第２の端部６８、および側面７０を含む。図１に図解されるように、壁側部材６０は、束側部材３０の裏面３４と湾曲したフランジ５０との間に形成されたチャネル５２内に位置付けられる。壁側部材６０は、金属製ロッキングタイ８０を誘導するためのポケット７２、およびファスナー取り付け穴パッド７４を含む。壁側部材６０がチャネル５２に設置されているとき、ポケット７２および取り付け穴パッド７４は、束側部材３０におけるスロット４２および開口部４８と交互に並ぶ。ポケット７２およびファスナー取り付け穴パッド７４も、距離、割合、および大きさの点で異なり得、束側部材３０におけるスロット４２および開口部４８を補足する。
【００１１】
図６〜１２に図解されるように、金属壁ブラケット２０は、壁ブラケットファスナー９０を介して壁１００に固定され（図１２を参照のこと）、束１１０は、金属製ロッキングタイ８０を介して金属壁ブラケット２０に取り付けられる（図１１を参照のこと）。取り付け穴パッド７４は、束側部材３０を通って延在する壁ブラケットファスナー９０を受容するための開口部７６を含む。図７および１２に図解されるように、壁ブラケットファスナー９０は、束側部材３０における開口部４８および取り付け穴パッド７４における開口部７６を通って、壁１００に延在する。取り付け穴パッド７４は、略長方形である。取り付け穴パッド７４は、壁に取り付けられたブラケット２０が表面に固定されるとき、安定した接触面を提供する。
【００１２】
図６、７、および１１に図解されるように、束１１０は、壁１００に取り付けられた金属壁ブラケット２０上に固定される。第２の束を取り付けるために、金属製ロッキングタイ８０は、金属壁ブラケット２０上で、事前穿孔スロット４２の入口スロット４４に挿入される（図７を参照のこと）。金属製ロッキングタイ８０は、入口スロット４４中に、かつ壁側部材６０の半円形のポケット７２に沿って押し込まれる（図９を参照のこと）。ポケット７２は、束側部材３０の隣接した出口スロット４６に金属製ロッキングタイ８０を誘導する。金属製ロッキングタイ８０が出口スロット４６を通ってポケット７２を出ると（図１０を参照のこと）、金属製ロッキングタイ８０は、螺入および錠止されて、経由を必要とする束を捕捉および固定し得る。
【００１３】
本発明の金属壁ブラケットは、以前の経由方法と比較して、効率的に束を取り付ける。金属壁ブラケットにより、同じ大きさの金属製ロッキングタイを、ケーブル、導管、およびパイプの束の多くの大きさおよび種類に使用することを可能とする。追加されるすべてのアイテムの整列を要求する従来のランダム配置締め付けシステムとは異なり、金属壁ブラケットを壁にそのように整列させることで、経由される束の整列を確実にする。
【００１４】
さらに、本発明の特定の好ましい実施形態が示され、説明されているが、本発明の教示から逸脱することなく、変更および修正を加えることができることは当業者には明らかであろう。上述の記述および添付の図面に記載される事項は、実例として提供されるものであり、これらに限定されるものではない。本発明の実際の範囲は、先行技術に基づいて適切な視点で捉えられるとき、以下の特許請求の範囲において定義されるよう意図される。
【符号の説明】
【００１５】
２０  ブラケット
３０  束側部材
３２  前面
３４  裏面
３６  第１端部
３８  第２端部
４０  側面
４２  事前穿孔スロット
４４  入口スロット
４６  出口スロット
４８  開口部
５０  フランジ
５２  チャネル
６０  壁側部材
６２  前面
６４  裏面
６６  第１の端部
６８  第２の端部
７０  側面
７２  ポケット
７４  ファスナー取り付け穴パッド
７６  開口部
８０  金属製ロッキングタイ
９０  壁ブラケットファスナー
１００  壁
１１０  束
【図１】
2015533203.tif 000003
【図２】
2015533203.tif 000004
【図３】
2015533203.tif 000005
【図４】
2015533203.tif 000006
【図５】
2015533203.tif 000007
【図６】
2015533203.tif 000008
【図７】
2015533203.tif 000009
【図８】
2015533203.tif 000010
【図９】
2015533203.tif 000011
【図１０】
2015533203.tif 000012
【図１１】
2015533203.tif 000013
【図１２】
2015533203.tif 000014
【国際調査報告】
2015533203.tif 000015
2015533203.tif 000016